(57)【要約】      （修正有）【課題】特定の電子広告コンテンツを受信することで恩恵を受ける可能性が高い消費者に、電子広告コンテンツを向かわせることできるような仕組みおよび／または手法を提供する。【解決手段】認証広告システム１００は、電子広告コンテンツと併せてワンタイムパスワード（ＯＴＰ）をパーソナル通信デバイス７００に送信するとともに、制限付きアクセスシステム２００からＯＴＰに対する要求を生成する。【選択図】図１
2017084374.tif 000002
【特許請求の範囲】
【請求項１】
個別のパスワードに対する開始要求に基づいてパーソナル通信デバイスにターゲットを絞った対話型電子メッセージを配信する、コンピュータにより実行される方法において、
制限付きアクセスシステムのワンタイムパスワードステータス通知遷移画面に、セカンダリアクションを要求するアクティブタイプメッセージを含む第１のターゲットを絞った対話型電子メッセージを表示するステップと、
アウトオブバンドのコンテンツとして、パーソナル通信デバイスに、アプリケーションサーバへのアクセスを可能にする前記個別のパスワードとして提供されるワンタイムパスワードと一緒に、前記パーソナル通信デバイスからの他のセカンダリアクションを要求するアクティブタイプメッセージを含む第２のターゲットを絞った対話型電子メッセージを送信するステップと、
プロファイルデータベースから前記パーソナル通信デバイスと関連づけられたユーザープロファイルを受信するステップであって、前記ターゲットを絞った対話型電子メッセージの少なくとも１つは、前記ユーザープロファイルに基づくものであるステップと、
性別、年齢、地理的な関心領域、産業、アクセス頻度、アクセス時間、アクセス時の位置、以前に行われた電子購入、入金情報、および、ウェブの閲覧傾向から成るグループから選ばれたプロファイル情報を前記プロファイルデータベースに保持するステップと、
前記セカンダリアクションと他のセカンダリアクションの少なくとも一方に基づいて、消費者のレスポンス率、クリック率、閲覧率、および、返信に対する支払いの統計から成る基準グループから任意に選ばれた基準を保持するステップと、
対応するユーザープロファイル用の前記基準を用いて前記プロファイルデータベースを更新するステップと、
を備えた方法。
【請求項２】
前記制限付きアクセスシステムを介して、前記制限付きアクセスシステムからアプリケーションサーバへのアクセスを可能にする前記パスワードに対する前記開始要求を受信するステップと、
前記ターゲットを絞った対話型電子メッセージを選択するステップと、
をさらに備えた請求項１記載の方法。
【請求項３】
前記ワンタイムパスワードは所定時間有効であり、
前記制限付きアクセスシステムでワンタイムパスワードを受け取るステップと、
前記制限付きアクセスシステムを介してワンタイムパスワードを認証するステップと;
所定時間の後にワンタイムパスワードを非アクティブにするステップと、
をさらに備えたことを特徴とする請求項１の方法。
【請求項４】
前記制限付きアクセスシステムのワンタイムパスワードログイン画面に、セカンダリアクションを要求する第３のアクティブタイプメッセージである第３のターゲットを絞った対話型電子メッセージを表示するステップをさらに備えたことを特徴とする請求項１から３のいずれか１項記載の方法。
【請求項５】
前記第３のセカンダリアクションが、もっと詳しい情報の要求、今見るの要求、オプトインの要求、オプトアウトの要求、クーポンの要求、アポイントの要求、クイックレスポンスコードの要求、オーディオ／ビデオコンテンツの再生の要求、追加情報の要求、コンタクトされるための要求、フォームフィールドアプリケーションの記入、電話番号に電話、電話を掛けるためのクリック、ハイパーリンクのクリック、ショートメッセージサービスによる返信、マルチメディアメッセージサービスによる返信、電子チャットによる返信、提示の拒否、から成るグループから選ばれることを特徴とする請求項４記載の方法。
【請求項６】
ユーザープロファイルの前記関連付け、および、ターゲットを絞った対話型電子メッセージの前記選択は、それぞれ認証広告サーバによって実行されることを特徴とする請求項１記載の方法。
【請求項７】
前記パスワードは、一意に決まるパスワードで構成されることを特徴とする請求項１から６のいずれか１項記載の方法。
【請求項８】
前記プロファイルデータベースは、サードパーティーデータベースを含むことを特徴とする請求項１から７のいずれか１項記載の方法。
【請求項９】
前記セカンダリアクションおよび前記他のセカンダリアクションの少なくとも一方は、もっと詳しい情報の要求、今見るの要求、オプトインの要求、オプトアウトの要求、クーポンの要求、アポイントの要求、クイックレスポンスコードの要求、オーディオ／ビデオコンテンツの再生の要求、追加情報の要求、コンタクトされるための要求、フォームフィールドアプリケーションの記入、電話番号に電話、電話を掛けるためのクリック、ハイパーリンクのクリック、ショートメッセージサービスによる返信、マルチメディアメッセージサービスによる返信、電子チャットによる返信、提示の拒否、から成るグループから選ばれることを特徴とする請求項１から８のいずれか１項記載の方法。
【請求項１０】
前記ワンタイムパスワードと一緒に送られる前記第２のターゲットを絞った対話型電子メッセージの送信は、電子メール、プッシュ通知、ショートメッセージサービス、マルチメディアメッセージサービス、および、伝送制御プロトコル／インターネットプロトコル通信の少なくとも１つを介して、パーソナル通信デバイスへワンタイムパスワードと一緒に第２のターゲットを絞った対話型電子メッセージを配信することで構成されることを特徴とする請求項１から９のいずれか１項に記載の方法。
【請求項１１】
アプリケーションサーバと、
ユーザープロファイルを格納し、性別、年齢、地理的な関心領域、産業、アクセス頻度、アクセス時間、アクセス時の位置、以前に行われた電子購入、入金情報、および、ウェブの閲覧傾向から成るグループから選ばれたプロファイル情報を保持し、さらにセカンダリアクションと他のセカンダリアクションの少なくとも一方に基づいて、消費者のレスポンス率、クリック率、閲覧率、および、返信に対する支払いの統計から成る基準グループから任意に選ばれた基準を保持するためのデータベースであって、対応するユーザープロファイル用の前記基準を用いて更新されるデータベースと、
前記アプリケーションサーバへのアクセスを制御し、かつ、個別のパスワードに対する開始要求を受信するための制限付きアクセスシステムと、
ユーザープロファイルを受信し、選択されたユーザープロファイルをパーソナル通信デバイスと関連付けるために、前記データベースにアクセスする認証広告サーバと、
を備えた認証広告システムであって、
ワンタイムパスワードを提供するためのパスワード発生装置と、
選択されたユーザープロファイルに基づいてターゲットを絞った対話型電子メッセージを選択し、ワンタイムパスワードステータス通知画面上に表示のために第１のターゲットを絞った対話型電子メッセージであって、任意にセカンダリアクションにアクティブタイプで応答する第１のターゲットを絞った対話型電子メッセージを提供するための広告サーバと、
開始要求に応じて、前記アプリケーションサーバへのアクセスを可能にし、かつ、所定時間有効なパスワードとして提供されるワンタイムパスワードと一緒に、任意に別のセカンダリアクションへアクティブタイプの応答を行う第２のターゲットを絞った対話型電子メッセージを編集し、かつ、前記パーソナル通信デバイスへのワンタイムパスワードと一緒に、前記第２のターゲットを絞った対話型電子メッセージを前記パーソナル通信デバイスへの送信するためのＯＴＰ広告コンパイラーと、
をさらに備えることを特徴とする認証広告システム。
【発明の詳細な説明】
【技術分野】
【０００１】
本発明は、パーソナル通信デバイスおよび／またはコンピューティングプラットフォームへ、無線および／またはセルラーネットワークを介してワンタイムパスワード（ＯＴＰ）の配信と併せて電子広告コンテンツを配信するための方法および／またはシステムに関する。
【背景技術】
【０００２】
インターネットの発展や、オンライン製品および／またはオンラインサービスの利用可能性が高まるのに伴い、広告の電子フォームはより重要になってきている。同様に、広告主も、小売店と同様に消費者の利益および／またはニーズとの関連に基づいて広告の閲覧率を増加させる配信プラットフォームを用いて、直接消費者に広告を注目させる新しいより良い方法を捜している。同じように、モバイルおよび／またはワイヤレスハンドヘルドデバイスのようなより多くのパーソナル通信デバイスは、なかでもウェブサーフィン、電子メールのやりとり、および／または電子メッセージのような通信のために使用されることが多い。したがって、電子広告コンテンツに興味を持たせ、かつ／または、よりターゲットを絞ることができるようにするという一般的な要望に加えて、特定にこのような装置を電子広告コンテンツのターゲットにし、かつ／または、電子広告コンテンツをカスタマイズする機能も備えるようにすることが望まれている。
【発明の概要】
【発明が解決しようとする課題】
【０００３】
本発明は、特定の電子広告コンテンツを受信することで恩恵を受ける可能性が高い消費者に、電子広告コンテンツを向かわせることできるような仕組みおよび／または手法を提供し、さらに、そのような電子広告コンテンツがさらに閲覧されるような仕組み／または手法を設けることを目的とする。
【課題を解決するための手段】
【０００４】
本発明の目的を達成するために、本発明の認証広告システムは、電子広告コンテンツと併せてワンタイムパスワード（ＯＴＰ）をパーソナル通信デバイスに送信する方法とともに、制限付きアクセスシステムからＯＴＰに対する要求を生成する方法を提供する。別の実施形態では、本発明は、電子広告コンテンツと併せてＯＴＰをパーソナル通信デバイスへ送信する方法とともに、パーソナル通信デバイスからＯＴＰに対する要求を送信する方法を提供する。また、ＯＴＰの要求から開始して、電子広告コンテンツメッセージが、オンラインアカウントにアクセスするために用いられる制限付きアクセスシステムにも送信されるようにしてもよい。
【０００５】
ここに開示した第１の態様では、パスワードに対する開始要求に基づいてパーソナル通信デバイスにターゲットを絞った対話型電子メッセージを配信する方法であって、
制限付きアクセスシステムのワンタイムパスワード（ＯＴＰ）のステータス通知遷移画面に第１のターゲットを絞った対話型電子メッセージを表示するステップと、
アウトオブバンドのコンテンツとして、パーソナル通信デバイスに、パスワードとして提供されるＯＴＰと一緒に第２のターゲットを絞った対話型電子メッセージを送信するステップと、
を備えた方法について説明する。
【０００６】
必要に応じて、第１のターゲットを絞った対話型電子メッセージは、セカンダリアクションを必要とするアクティブタイプのメッセージを含むようにすることができ、および／または、第２のターゲットを絞った対話型電子メッセージは、パーソナル通信デバイスから他のセカンダリアクションを要求するアクティブタイプのメッセージを含むようにしてもよい。
【０００７】
一実施形態において、方法は、
パーソナル通信デバイスにユーザープロファイルを関連付けるステップ、
制限付きアクセスシステムを介して、制限付きアクセスシステムでアプリケーションサーバへのアクセスを可能にするものであるパスワードに対する開始要求を受信するステップ、および／または、
ターゲットを絞った対話型電子メッセージを選択するステップ、
を備えるものであってもよい。
【０００８】
特定の例示的な実施形態では、ＯＴＰは所定時間有効であり、方法は、
制限付きアクセスシステムでＯＴＰを受信するステップと、
制限付きアクセスシステムによってＯＴＰを認証するステップと、
所定時間の後にＯＴＰを非アクティブにするステップと、
をさらに備えているものであってもよい。
【０００９】
加えて、および／または、代わりに、方法は、制限付きアクセスシステムのＯＴＰログイン画面に第３のターゲットを絞った対話型電子メッセージを表示するステップをさらに備え、３番目のターゲットを絞った対話型電子メッセージは、任意に第３のセカンダリアクションを要求するアクティブタイプのメッセージである。
【００１０】
第３番のセカンダリアクションは、もっと詳しい情報（Learn  More）の要求、今見る（View  Now）の要求、オプトインの要求、オプトアウトの要求、クーポンの要求、アポイントの要求、クイックレスポンスコードの要求、オーディオ／ビデオコンテンツの再生の要求、追加情報の要求、コンタクトされるための要求、フォームフィールドアプリケーションの記入、電話番号に電話、電話を掛けるためのクリック、ハイパーリンクのクリック、ショートメッセージサービスによる返信、マルチメディアメッセージサービスによる返信、電子チャットによる返信、提示の拒否、から成るグループから選ばれるものであってもよい。
【００１１】
特定の例示的な実施形態では、方法は、さらに、
ユーザープロファイルに基づくターゲットを絞った対話型電子メッセージの少なくとも１つで、プロファイルデータベースからユーザープロファイルを受信するステップ、および
性別、年齢、地理的な関心領域、産業、アクセス頻度、アクセス時間、アクセス時の位置、以前に行われた電子購入、入金情報、および、ウェブの閲覧傾向から成るグループから選ばれたプロファイル情報を、プロファイルデータベースに保持するステップ、
の少なくとも一方を備えることが可能である。
【００１２】
別の実施形態では、方法は、さらに、
セカンダリアクションと他のセカンダリアクションの少なくとも一方に基づいて、消費者のレスポンス率、クリック率、閲覧率、および、返信対する支払いの統計から成る基準グループから任意に選ばれる基準（metrics）を保持するステップ、および
対応するユーザープロファイル用の基準を用いてプロファイルデータベースを更新するステップ、
のうちの少なくとも一方のステップを備えることができる。
【００１３】
特定の例示的な実施形態中で、ユーザープロファイルの関連付け、および、ターゲットを絞った対話型電子メッセージの選択は、それぞれ認証広告サーバによって実行される。
【００１４】
パスワードは、ユニークなパスワード、または、個別のパスワードで構成されたものであればよい。
【００１５】
プロファイルデータベースには、任意に、サードパーティーデータベースを含む。
【００１６】
セカンダリアクションおよび他のセカンダリアクションの少なくとも一方は、もっと詳しい情報の要求、今見るの要求、オプトインの要求、オプトアウトの要求、クーポンの要求、アポイントの要求、クイックレスポンスコードの要求、オーディオ／ビデオコンテンツの再生の要求、追加情報の要求、コンタクトされるための要求、フォームフィールドアプリケーションの記入、電話番号に電話、電話を掛けるためのクリック、ハイパーリンクのクリック、ショートメッセージサービスによる返信、マルチメディアメッセージサービスによる返信、電子チャットによる返信、提示の拒否、から成るグループから選ばれるようにしてもよい。
【００１７】
別の実施形態では、ＯＴＰと一緒に送られる第２のターゲットを絞った対話型電子メッセージの送信は、電子メール（ｅ−メール）、プッシュ通知、ショートメッセージサービス、マルチメディアメッセージサービス、および、伝送制御プロトコル／インターネットプロトコル通信の少なくとも１つを介して、パーソナル通信デバイスへＯＴＰと一緒に第２のターゲットを絞った対話型電子メッセージを配信するように構成することが可能である。
【００１８】
第２の開示の態様によれば、パスワードに対する開始要求に基づいてパーソナル通信デバイスにターゲットを絞った対話型電子メッセージを配信するためのコンピュータプログラム製品であって、第１の開示の態様に従った方法を実行するための命令で構成されるコンピュータプログラム製品が提供される。
【００１９】
第３の開示の態様によれば、パスワードに対する開始要求に基づいてパーソナル通信デバイスにターゲットを絞った話型電子メッセージを配信するためのシステムであって、第１の開示の態様に従った方法を実行するために構成されたシステムが提供される。
【００２０】
第４の態様によれば、
アプリケーションサーバと、
ユーザープロファイルを格納するためのデータベースと、
アプリケーションサーバへのアクセスを制御し、パスワードに対する開始要求を受信するための制限付きアクセスシステムと、
ユーザープロファイルを受信し、パーソナル通信デバイスと選択されたユーザープロファイルとを関連付けるためのデータベースにアクセスする認証広告サーバと、
を備えた認証広告システムが提供され、
認証広告サーバには、
ＯＴＰを提供するためのパスワード発生装置と、
選択されたユーザープロファイルに基づいてターゲットを絞った対話型電子メッセージを選択し、ＯＴＰステータス通知画面上に表示するために第１のターゲットを絞った対話型電子メッセージであって、セカンダリアクションへ任意にアクティブタイプの応答を行なう第１のターゲットを絞った対話型電子メッセージを提供する広告サーバと、
開始要求に応じて、アプリケーションサーバへのアクセスを可能にし、かつ、所定時間有効なパスワードとして提供されるＯＴＰと一緒に、第２のターゲットを絞った対話型電子メッセージであって、他のセカンダリアクションへ任意にアクティブタイプの応答を行う第２のターゲットを絞った対話型電子メッセージを編集し、このＯＴＰと一緒に第２のターゲットを絞った対話型電子メッセージをパーソナル通信デバイスへの送信するためのＯＴＰ広告コンパイラーと、
をさらに備える。
【００２１】
第５の開示の態様では、個別のパスワードに対する開始要求に基づいてパーソナル通信デバイスに複数個のターゲットを絞った対話型電子メッセージを配信する方法であって、
認証広告サーバを介してパーソナル通信デバイスとユーザープロファイルを関連付けるステップと、
制限付きアクセスシステムを介して、制限付きアクセスシステムを介してアプリケーションサーバへのアクセスを可能にする個別のパスワードに対する開始要求を受信するステップと、
認証広告サーバを介してターゲットを絞った対話型電子メッセージを選択するステップと、
認証広告サーバを介して選択されたターゲットを絞った対話型電子メッセージの中の第１のターゲットを絞った対話型電子メッセージであって、アクティブタイプであるとともに、セカンダリアクションを要求する第１のターゲットを絞った対話型電子メッセージを制限付きアクセスシステムのワンタイムパスワード（ＯＴＰ）ステータス通知遷移画面上に表示するステップと、
認証広告サーバのＯＴＰ広告コンパイラーを介して、アウトオブバウンドのコンテンツとして、所定時間有効である個別のパスワードとして提供されるＯＴＰと一緒に、選択されたターゲットを絞った電子メッセージの中の第２のターゲットを絞った対話型電子メッセージであって、アクティブタイプであるとともに、パーソナル通信デバイスからの他のセカンダリアクションを要求し第２のターゲットを絞った対話型電子メッセージをパーソナル通信デバイスへ送信するステップと、
認証広告サーバを介して選択されたターゲットを絞った対話型電子メッセージの中の第３のターゲットを絞った対話型電子メッセージであって、アクティブタイプであるとともに、第３のセカンダリアクションを要しする第３のターゲットを絞った対話型電子メッセージを制限付きアクセスシステムのＯＴＰログイン画面上に表示するステップと、
認証広告サーバを介したＯＴＰログイン画面上で、パーソナル通信デバイスからのＯＴＰを制限付きアクセスシステムで認証するステップと、および／または、
制限付きアクセスシステムを介して所定時間の後にＯＴＰを非アクティブにするステップと、
を備え、
非アクティブにされたＯＴＰは、制限付きアクセスシステムによってアプリケーションサーバにアクセスするために使用することができない。
【００２２】
開示の第５の態様による方法は、プロファイルデータベースからユーザープロファイルを受信するステップをさらに備え、ターゲットを絞った対話型電子メッセージの選択は、ユーザープロファイルに基づいて行われる。
【００２３】
プロファイルデータベースは、サードパーティのデータベースであってもよい。
【００２４】
別の実施形態では、開示の第５の態様による方法は、さらに、
性別、年齢、地理的な関心領域、産業、アクセス頻度、アクセス時間、アクセス時の位置、以前に行われた電子購入、入金情報、および、ウェブの閲覧傾向の少なくとも１つが、プロファイルデータベースに保持されるステップと、
プロファイルデータベースへユーザープロファイルを格納するステップと、
セカンダリアクションに基づいて基準を保持するステップと、
対応するユーザープロファイル用の基準を用いてプロファイルデータベースを更新するステップと、
の少なくとも１つを備えることができる。
【００２５】
保持している基準は、消費者のレスポンス率、クリック率、閲覧率、および、返信に対する支払いの統計の少なくとも１つで決定するステップをさらに備えていてもよい。
【００２６】
セカンダリアクション、他のセカンダリアクション、および、第３のセカンダリアクションの少なくとも１つは、もっと詳しい情報の要求、今見るの要求、オプトインの要求、オプトアウトの要求、クーポンの要求、アポイントの要求、クイックレスポンスコードの要求、オーディオ／ビデオコンテンツの再生の要求、追加情報の要求、コンタクトされるための要求、フォームフィールドアプリケーションの記入、電話番号に電話、電話を掛けるためのクリック、ハイパーリンクのクリック、ショートメッセージサービスによる返信、マルチメディアメッセージサービスによる返信、電子チャットによる返信、提示の拒否、から成るグループから選ばれるようにしてもよい。
【００２７】
例示的な実施形態では、送信ステップは、アウトオブバンドのコンテンツとしてパーソナル通信デバイスにＯＴＰと一緒に送られる第２のターゲットを絞った対話型電子メッセージを送信するステップ、および／または、電子メール（ｅ−メール）、プッシュ通知、ショートメッセージサービス、マルチメディアメッセージサービス、および、伝送制御プロトコル／インターネットプロトコル通信の少なくとも１つを介して送信するステップをさら備えることが可能である。
【００２８】
第６の開示の態様によれば、個別のパスワードに対する開始要求に基づいてパーソナル通信デバイスにターゲットを絞った対話型電子メッセージを配信するためのコンピュータプログラム製品であって、コンピュータプログラム製品は１以上の非一時的な機械が読み取り可能な記憶媒体にエンコードされ、
パーソナル通信デバイスにユーザープロファイルを関連付けるための命令と、
制限付きアクセスシステムを介して、制限付きアクセスシステムを介してアプリケーションサーバへのアクセスを可能にする個別のパスワードに対する開始要求を受信するための命令と、
ターゲットを絞った対話型電子メッセージを選択するための命令と、
選択されたターゲットを絞った対話型電子メッセージの中の第１のターゲットを絞った対話型電子メッセージであって、アクティブタイプであるとともに、セカンダリアクションを要求する第１のターゲットを絞った対話型電子メッセージを選制限付きアクセスシステムのＯＴＰステータス通知遷移画面上に表示する命令と、
認証広告サーバのＯＴＰ広告コンパイラーを介して、アウトオブバウンドのコンテンツとして、所定時間有効である個別のパスワードとして提供されるＯＴＰと一緒に、選択されたターゲットを絞った電子メッセージの中の第２のターゲットを絞った対話型電子メッセージであって、アクティブタイプであるとともに、パーソナル通信デバイスからの他のセカンダリアクションを要求する第２のターゲットを絞った対話型電子メッセージをパーソナル通信デバイスへ送信する命令と、
選択されたターゲットを絞った対話型電子メッセージの中からの第３のターゲットを絞った対話型電子メッセージであって、アクティブタイプであるとともに、第３のセカンダリアクションを要求する第３のターゲットを絞った対話型電子メッセージを制限付きアクセスシステムのＯＴＰログイン画面上に表示する命令と、
ＯＴＰログイン画面上でパーソナル通信デバイスからのＯＴＰを制限付きアクセスシステムで認証するための命令と、および／または、
所定時間の後にＯＴＰを非アクティブにするための命令と、
を備え、
非アクティブにされたＯＴＰは、制限付きアクセスシステムによってアプリケーションサーバにアクセスするために使用することができない。
【図面の簡単な説明】
【００２９】
【図１】本発明による電子広告コンテンツ用の認証広告システムの実施形態を説明するブロック図である。
【図２】本発明による電子広告コンテンツ用の認証広告システムのための方法の実施形態を説明するフローチャートである。
【図３】本発明の実施形態の１つに制限されない図２のフローチャートの動作を説明する。
【図４】本発明による電子広告コンテンツ用の認証広告システムの実施形態の例を説明する。
【図５】本発明による電子広告コンテンツ用の認証広告システムの実施形態の例である。
【発明を実施するための形態】
【００３０】
以下、発明を実施するために現在考えられる最良の形態を詳細に説明する。この説明は、限定した意味に解釈されるべきではなく、単に、本発明の実施形態の一般的な原理を例示する目的のためだけに記載されたものである。発明の範囲は、添付され特許請求の範囲によって定義される。
【００３１】
この開示のいくつかの部分は、ネットワーク、クラウド、コンピュータおよび／または計算機システムのメモリなどの計算機システム内に格納されたデータビットおよび／またはバイナリーデジタル信号の動作をアルゴリズムおよび／または象徴で表される。これらのアルゴリズム的な記載および／または表現は、他の当業者にその仕事の内容を伝えるためにデータ処理の分野の当業者によって使用される技術である。本明細書で使用される場合、アルゴリズムは、所望の結果につながる動作および／または類似の処理が最終的に一致する（self-consistent）シーケンスであると考えられる。オペレーションおよび／または処理には、物理量の物理的な操作を含んでいてもよい。必ずしも必要なものではないが、通常、これらの量は、記憶、送信、転送、結合、比較、および／またはその他の操作が可能な電気信号および／または磁気信号の形態をとるようにしてもよい。これは、ビット、データ、値、要素、記号、文字による用語、数、数字、および／またはこれらと同様のものが、これら信号を参照するために、時には、大抵は、通常使われるのに便利であることが証明されている。しかしながら、これらおよび類似の用語の全ては、適切な物理量に関連付けられるものであり、単に便利なラベルでしかないことが理解されるべきである。特に断りがない限り、以下の説明から明らかなように、それは、この明細書全体を通して、利用する用語「処理」、「コンピューティング」、「クラウドコンピューティング」「計算」、「決定」、「プロファイリング」、および／または、コンピュータおよび／または同様の電子計算装置のようなコンピューティングプラットフォームの動作および／または処理として参照されものは、コンピューティングプラットフォームのプロセッサ・メモリ・レジスタ・他の情報ストレージ、送信部、表示デバイス内の物理的な電気量および／または磁気量、および／または他の物理量として表されるデータを、操作および／または変形するものである。
【００３２】
前述のように、インターネット（電子メールの利用やパーソナル通信デバイスの使用において、これらに限定さるものではないが、モバイルおよびワイヤレスハンドヘルドデバイスが含まれる）が発展することで、さらに注目される電子広告コンテンツまたはターゲットを絞った電子広告コンテンツが望まれるようになってきた。一般的に、消費者は、スパム、メール、メッセージ、バナー広告などに煩わされ、パーソナル通信デバイスに行われる広告は効果がない。したがって、他よりも特定の電子広告メッセージを見て恩恵を受ける可能性がより高い消費者に、電子広告コンテンツを向かわせることができるような仕組みおよび／または手法が望まれる。
【００３３】
背景として、パーソナル通信デバイスには、ワイヤレスハンドヘルドデバイス、スマートフォン、携帯情報端末（ＰＤＡ）、携帯電話、フィーチャーフォン、ハイブリッド電話、タブレット、ポケットベル、および／またはその他のモバイルデバイスが含まれるが、これに限定されるものではない。そのような装置には、共通のある程度確立されたメッセージおよび／または通信プロトコル（または、通信フォーマット）を採用するのが一般的であり、例えば、ＳＭＳ（「ショートメッセージサービス」）、ＳＭＰＰ（「ショートメッセージ・ピアツーピア」）、ＭＭＳ（「マルチメディアメッセージサービス」）画像、ＱＲコード（登録商標）（「クイックレスポンス」）、クーポン／チケット、ＯＴＡ（オンエア）通知および／または更新、クリックトゥコール・ハイパーリンク、ハイパーリンク、ハイパーリンクを埋め込んだ画像、ビデオ用ウェブへのリダイレクト、プッシュ通知のテキストまたは画像、ＳＭＩＬ（「同期化マルチメディア統合言語」）、「ツイッター（ＴＷＩＴＴＥＲ）（登録商標）」のようなソーシャル・マーケティング・エンジンと、現在開発されている、あるいは、今後開発されるものに加え、送信するためのＵＳＳＤ（「非体系的な付加サービス・データ（unstructured supplementary service data）」）、および／または、テキスト・画像・オーディオ・ビデオまたは他のタイプのデータを含む様々なタイプのコンテンツを含む。パーソナル通信デバイスは、当然ながら、電子広告コンテンツを含む情報を配信するための魅力的な仕組みを提供するものであり、特に、ユーザが、例えば、有線回線接続からモバイルおよび／または他のリモート接続である場合に提供する。
【００３４】
しかしながら、パーソナル通信デバイスが頻繁に電子広告コンテンツや他のターゲットの情報の対象になっている間は、その装置のユーザは多くの場合メッセージを「開く」ことなく、別の方法で、送信された電子広告コンテンツ（テキストであるかオーディオであるかイメージングであるかビデオであるかを問わず）に気づくことがある。つまり、大量の宣伝および／または大量のメディアがあるので、魅力ある電子広告コンテンツ、および／または、関連する電子広告コンテンツを探しているユーザを特別にターゲットにするのは難しく、広告主および／または小売店は、ターゲットを絞った電子広告コンテンツを効果的に配信するのに苦労している。
【００３５】
この文脈では、ある用語を明確にすることが有用である。例えば、本明細書で使用されるように、ＯＴＰは秘密の単語、文字列、個人識別番号（ＰＩＮ）および／またはパスワードを指し、１回のみのログインセッションおよび／または取引のために限られた時間だけ有効な認証に用いられ、ＩＤの検証および／または特定のリソースへのアクセスを許可するために用いられる。このように、ＯＴＰは短期間（例えば１分）有効である。同様に、用語「パーソナル通信デバイス」および「ワイヤレスハンドヘルドデバイス」は、どちらも同じように用いられ、電気信号の形でテキスト、オーディオ、画像および／またはビデオなどのコンテンツを受信することが可能な任意のモバイルおよび／またはハンドヘルドデバイスを指す。スマートフォンに加えて、「パーソナル通信デバイス」には、さらにコンピュータおよび／またはコンピューティングプラットフォーム、ラップトップ、タブレット、インターネットおよび／またはイントラネットに無線で接続することが可能なパソコンおよび／またはワークステーションを含めることができる。これは必ずしも可能ではないが、そのような装置は、通常、様々な形式のコンテンツを送信することができる。本明細書で使用する場合、「電子広告コンテンツ」および「電子広告メッセージ」はどちらも同じように用いられ、ターゲットおよび／またはターゲットではないデジタル情報を交換する方法を指し、デジタル情報には、メッセージ、通知、リソース、および／または、インターネット・イントラネット、および／または、他のコンピューティングプラットフォームに亘る広告の他の形態を含まれるが、これらに限定されるものではない。電子広告コンテンツは、例えば、消費者が訪問するウェブサイト、訪問されたページ、各ページの時間の総計、クリックされたリンク、行われた検索、人口統計、地理、消費者提供情報、および／または、それと同類のものの中の一番良い情報（culmination）などの、消費者プロファイル情報を使用して、特定の電子広告メッセージを受け入れる可能性が高い消費者および／またはユーザを特定してターゲットにするようにしてもよい。このプロセスは、プロファイルに基づいて各ユーザを正確に理解し分類するのが目的である。例えば、分析された情報に基づいて、ユーザが頻繁に多くの株式仲買業のウェブサイトを訪れていることがわかれば、ユーザが株式仲買業とは関係ないウェブサイトを訪れたときに、広告に関連した投資を提供することができる。同様に、「ターゲットを絞ったおよび／またはカスタマイズされた電子広告メッセージ」は、このようなデバイスの一意の識別子、人口統計、地理、消費者プロファイル情報、および／または、それと同類のものの中の一番良い情報などの、さまざまな情報源を使用して、電子広告メッセージを重ねて変更および／または発展させることをいい、その結果、電子広告メッセージは、適合しない消費者よりもそれが適合する消費者がより受け取りやすくなるであろう。よく知られているように、「ＳＭＳ」はショートメッセージサービスを指す。ＳＭＳメッセージは、短いテキストメッセージを電気的な送受信を可能にした双方向の無線の英数字テキストメッセージングサービスです。符号���割多重アクセス方式（ＣＤＭＡ）システムおよび／またはグローバル移動体通信システム（ＧＳＭ（登録商標））では、ＳＭＳメッセージは、一般に、様々な特徴（例えば、１９９９年９月に公表されたＴＩＡ／ＥＩＡ−６３７−Ａ（電気通信工業会（ＴＩＡ Telecommunications Industry Association）、www.tiaonline.org）によって規定された特徴の記述、および他の関連する仕様書（例えば、ＡＮＳＩ（アメリカ規格協会  American National Standards Institute）から入手できる））に適合する、あるいは互換性があるものである。スマートフォンは、テキスト形式でＳＭＳメッセージを送受信する機能、ハイパーリンク、画像メッセージ、および／または、それらの任意の組み合わせを含む、典型的なＳＭＳメッセージングをサポートすることができる利用可能な無数にあるパーソナル通信デバイスの一例である。同様に、関連するパーソナル通信デバイスが直ぐに利用できない場合は、ＳＭＳメッセージは後で取り出すためにＳＭＳメッセージセンターに保存されかつ／または転送されるようにしてもよい。しかし、要求された主題は、ＳＭＳメッセージに何ら限定されるものではないが、それはさらに、このような電子広告コンテンツは、例えば、携帯電話用の音声チャネルとは対照的に、無線通信システムの制御チャネル及び／またはデータチャネルを介して伝達することができることに留意されたい。「マルチメディアメッセージサービス」（ＭＭＳ）は別のタイプのよく知られたメッセージングサービスである。ＭＭＳメッセージはＳＭＳメッセージに似たメッセージサービスである。例えば、ＭＭＳメッセージはテキスト、画像、ビデオ、オーディオオブジェクトおよび／またはその任意の組合せを含んでいてもよい。つまり、ＭＭＳメッセージはＳＭＳメッセージを拡張したメッセージの一種である。使い慣れたテキストメッセージのテキストコンテンツに加えて、ＭＭＳメッセージには、テキスト、画像、ハイパーリンク付き画像、グラフィックス、ハイパーリンク付きグラフィックス、音声、ビデオおよび／またはオーディオクリップなどが含まれる。
【００３６】
銀行業、ヘルス・ケア産業および教育などの様々な産業で、ユーザ認証や個人口座へのオンラインアクセスのために、セキュリティの改善に関する様々な規制が広まるとともに、ＯＴＰの使用が増加すること予想されるといわれている。例えば、連邦金融機関検査協議会（ＦＦＩＥＣ Federal Financial Institutions Examination Council）は、シングルファクタ認証（ＳＦＡ）は顧客情報へのアクセスを含む取引には不十分であると考えている。２００５年には、ＦＦＩＥＣが発行した「インターネットバンキング環境での認証」は、インターネットバンキングにあらゆる形式で提携する金融機関が保証することを義務付けたもので、顧客を認証するための効果的かつ信頼性の高い方法が示されている。ＦＦＩＥＣによって指定された１つのやり方は、ＯＴＰを使用することが含まれる。同様に、議会は１９９６年に医療保険の携行性と責任に関する法律（ＨＩＰＡＡ Health Insurance Portability and Accountability Act）を制定したが、それが、ヘルス・ケア産業に影響を与える。保険でカバーされる医療団体は、カバーされる団体が作成し、受信し、維持し、転送し、送信する全ての電子的に保護された健康情報についての機密性、完全性、有用性を確保することが期待される。また、このようなＯＴＰの配信などの２ファクタ（二要素）認証の使用は、電子医療記録への不正な「リモート」アクセスのリスクを低減するために用いることができる。同様に、教育分野では、連邦家族教育権とプライバシー法（ＦＥＲＰＡ  federal Family Educational Rights and Privacy Act）は、学生の教育記録のプライバシーを保護し、米国教育省（U.S. Department of Education）の該当プログラムの下で連邦政府の補助金を受けるすべての学校に適用されます。この法律に準拠するために、教育機関は、教育記録の管理者および／または学生のための安全なオンラインアクセスを確保するためにＯＴＰの配信を採用することができる。以下により詳細に説明するように、本発明の方法および／またはシステムの実施形態は、エンドユーザおよび／または消費者にターゲットを絞ったおよび／またはカスタマイズされた電子広告コンテンツの提供に関連してＯＴＰの使用する技術を採用するようにしてもよい。
【００３７】
図１は、ＯＴＰの配信と併せてターゲットを絞った電子広告コンテンツを生成するための認証広告システム１００の一実施形態を説明するブロック図であるが、これに限定されるものではない。認証広告システム１００は、パーソナル通信デバイス７００（例えば、ワイヤレスハンドヘルドデバイス）、ユーザ認証サーバ３００、制限付きアクセスシステムおよび／またはコンピューティングプラットフォーム２００（認証サーバ３００がアクセスを制御する）、広告サーバ４００を備える。パーソナル通信デバイス７００は、アクセスを制御する認証サーバ３００および広告サーバ４００と、無線通信および／またはセルラーネットワークを介して通信するように構成される。広告サーバ４００は、プロファイルエンジン４１０、プロファイルデータベース４１１、宣伝サーバ４２０、およびＯＴＰ−広告コンパイラー４３０を備え、以下でより詳細に説明する。通信モジュール６００は、認証サーバ３００（その中は、通信モジュール６００は無線通信および／またはセルラーネットワークを介して広告サーバ４００からパーソナル通信デバイス７００に電子広告メッセージと併せてＯＴＰおよび／またはトークンを送信するように構成される）と認証モジュール３１０に指示される。認証サーバ３００は、無線通信および／またはセルラーネットワークとは異なる制限付きアクセスシステム２００で、制限付きアクセスシステム２００を介してユーザからのＯＴＰが有効であるかを確認するように構成される。
【００３８】
ユーザ認証サーバ３００は、好ましくは、ユーザ認証サービスを行うためのコンピュータシステム上で実行されるプログラムおよび／または一連のプログラムを含む。ユーザ認証サーバ３００には、さらにプログラムが作動するコンピュータシステムおよびハードウェアが設けられる。認証サーバ３００は、ユーザのネットワーク環境内に配置される、および／または、サードパーティのベンダーによるホスト型ソリューションとして、離れた場所（オフサイト）に配置されるようにしてもよい。ユーザ認証サーバ３００は、好ましくは、制限付きのアクセスセキュアシステムおよび／またはコンピューティングプラットフォーム２００を介してオンラインアプリケーションおよび／またはアプリケーションサーバ８００へアクセスするために、ユーザに安全なパーソナル通信デバイス７００を介して受信したＯＴＰを提供させるために要求を行うように構成される。
【００３９】
一実施形態では、パーソナル通信デバイス７００には、例えば、テキスト・ハイパーリンク・画像・オーディオ・ビデオ・プッシュ通知・OTA（オンエア）・通知および／または更新・ＱＲ（quick response）コード・他のコンテンツを送受信する機能を備えた、スマートフォンおよび／またはワイヤレスハンドヘルドデバイスが含まれる。これに限られるものではないが、一例では、パーソナル通信デバイス７００はＳＭＳメッセージをサポートする。ＳＭＳメッセージは、単に一例であり、マルチメディアメッセージサービス（ＭＭＳ）、あるいはプッシュ通知のテキスト／画像、あるいはOTA通知および／または更新、あるいは同期化マルチメディア統合言語（SMIL  synchronized multimedia integration language）、および／または、今後開発される技術などの他の技術やサービスや既知のプロトコルでもよく、パーソナル通信デバイス７００によってサポートされるものであればよいこと意図していることが理解されるであろう。
【００４０】
所望のおよび／または選択された制限付きアクセスシステム２００は、オペレーティングシステムを備えたコンピューティングプラットフォーム、パーソナルコンピュータ、または企業ワークステーション、またはタブレット、またはウェブサーバ、またはウェブサイト、オンラインアカウント、および／または、電子情報を格納する何らかの周辺機器を介してアクセスされる他の記憶保護域で構成される。これに限られるものではないが、一例では、所望のおよび／または選択された制限付きアクセスシステム２００には、ローカルエリアネットワークを介してアクセス可能なコンピューティングプラットフォームのアカウント、および／または、ウェブを介してアクセス可能なインターネット上のアカウントが設けられる。続いて、この例では、制限付きアクセスシステム２００は、アプリケーションサーバ８００および／または制限付きアクセスシステム２００を介してオンラインアカウントへアクセスするために、認証サーバ３００にＯＴＰを要求する。要求は、ＯＴＰ以外のものも取得するものであってもよい。例えば、以下により詳細に記述されるように、装置はＯＴＰに対する要求と一緒に他の要求を含んでいてもよい。図５の例は、ＯＴＰステータス通知遷移画面（１つまたは複数）２１０を介して、所望のかつ／または制限付きアクセスシステム２００に配信される電子広告コンテンツ（例えば、新しい普通預金口座を開くためのお誘い）を得るための望ましいものである。したがって、ＯＴＰステータス通知遷移画面２１０でＯＴＰの要求を開始すると、パーソナル通信デバイス７００（所望のまたは選択された制限付きアクセスシステム２００を介したオンラインアカウントへのアクセスを提供し、さらに広告を提供するものである）を介して、ＯＴＰと併せて電子広告コンテンツも受け取ることが可能になる。このＯＴＰステータス通知遷移画面２１０上の広告は、バナー広告、フローティング広告、エキスパンド広告、壁紙広告、ポップアップ、ポップアンダーで、ロールオーバー、オーディオ広告、「ＱＲコード」、ビデオ広告、マップ広告、ハイパーリンク、ソーシャルメディアフィード、新しいタブ、新しいウィンドウセッション、ライブティッカーおよび／またはフィード、ウィジェット、今後サポートかつ／または開発される他の全ての表示方式の電子広告コンテンツの形式で、広告サーバ４００および／またはサードパーティの広告サーバ５００から送信される。
【００４１】
上述のように、認証サーバ３００は、コンピュータおよび／または認証サービスを行なう他のコンピューティングプラットフォーム上で、実行するプログラムおよび／または一連のプログラムを含む。一実施形態では、認証サーバ３００は、所望のおよび／または選択した制限付きアクセスシステム２００に統合されてもよい。例えば、パーソナル通信デバイス７００から受信したワンタイムＰＩＮおよび／またはＯＴＰの入力などの正しいデータが提供された場合には、認証サーバ３００は、アプリケーションサーバ８００へのアクセスや、所望のおよび／または制限付のアクセスシステム２００を介したオンラインアカウントへのアクセスを許可する。
【００４２】
本発明は、パスワードがＯＴＰであるか否かにかかわらず、パスワードを特別の形式の範囲に限定するものではない。これに限られるものではないが、一例では、認証情報は、アカウントＩＤ、ユーザＩＤ、ＰＩＮ、または、ＯＴＰで構成されてもよいが、これに限られない。このような実施形態では、ユーザＩＤが公開されていてもよいし、公開されてなくてもよい。例えば、ユーザＩＤは、ユーザ名、ユーザの電子メール、会社名、および／または、これら形式の幾つかで構成されてもよい。同様に、ＰＩＮやパスコードやパスワードは秘密であっても、アプリケーションサーバ８００の正当な権限が与えられたアクセス情報か、所望のおよび／または選択された制限付きアクセスシステム２００を介したオンラインアカウントかを持つ人のうちの一人あるいは少数の人にのみ知られていてもよい。したがって、一実施形態では、ＯＴＰ要求を開始するために、所望のおよび／または選択された制限付きアクセスシステム２００を介してアプリケーションサーバ８００の利用可能な情報へのアクセスを望むユーザが、そして、その情報にアクセスするのを認められるユーザが、ユーザＩＤおよび／またはＰＩＮの両方を入力する。パーソナル通信デバイス７００によって受け取られたＯＴＰを入力すると、ユーザは、オンラインアカウント、アプリケーション、および／または、アプリケーションサーバ８００へ対して認証されアクセスすることができるようになる。
【００４３】
このような一実施形態では、例えば、パーソナル通信デバイス７００から、ＯＴＰの要求を開始するようにしてもよい。これはＳＭＳメッセージを採用することに限定するものではないが、その要求はＳＭＳメッセージで行われてもよい。ＳＭＳメッセージの利点は、電子メッセージサービスのこの特定タイプを介したメッセージの送受信が比較的速いという点である。これが利点に上げられる理由は、以前にも示したように、ＯＴＰは限定された期間だけ有効であるということである。一般に、有効期間がより短いほど、ＯＴＰを推測したり傍受したりするのに侵入者や認証されていない人により短い時間しか与えないので、システムはより安全である。したがって、６０秒くらいの比較的短期間のＯＴＰを採用する場合、サーバからデバイスにＯＴＰと一緒に電子広告コンテンツを送信するときの通常の伝送遅延が、ＯＴＰによって提供されるセキュリティ層のセキュリティを著しく下げない方法で、ＯＴＰが送信可能なる性能を持っているのが望ましい。さらに、受け取る前にＯＴＰが期限切れになるので、続いて起こるＯＴＰに対する要求が高い割合であり、全体的なユーザーエクスペリエンスに否定的な影響を与える。
【００４４】
前に示したように、ほとんどのパーソナル通信デバイス７００は、ＳＭＳメッセージを介した電子メッセージをサポートしている。これが、送信の仕組みとしてＳＭＳメッセージを採用したことに関する別の利点となる。それにもかかわらず、上に提案したように、有効期限が切れる前にＯＴＰを受信するのを可能にする仕組みを有することが、一つの利点である。さらに、パーソナル通信デバイス７００は、所望のおよび／または選択した制限付きアクセスシステム２００を介してアプリケーションサーバ８００および／またはオンラインアカウントへのアクセスを求めるユーザにとって便利である。一般的に、ほとんどの人はワイヤレスハンドヘルドデバイスを持ち運んでいる。また、パーソナル通信デバイス７００は、通常、共有することはない。したがって、これが、利便性が加えられるとともにセキュリティ層を追加することになる。さらに、望ましくは、認証サーバ３００は、権限を持っているパーソナル通信デバイス７００の限られたものだけを認識して応答するようにしてもよい。つまり、所望のおよび／または選択した制限付きアクセスシステム２００を介したアクセスを求めているユーザが、権限を持っているパーソナル通信デバイス７００からＯＴＰに対する要求を送信するので、ユーザＩＤとＰＩＮが改ざんされたとしても、悪意のある第三者が、さらにパーソナル通信デバイス７００にアクセスしなければ、所望のかつ／または制限付のアクセスシステム２００を介してアプリケーションサーバ８００および／またはオンラインアカウントにアクセスすることができない。この段落の中（および、この開示の他の場所）で用いられるように、パーソナル通信デバイス７００は「ワイヤレスハンドヘルドデバイス」であるとして記載されているが、これである必要はなく、パーソナル通信デバイス７００が、さらに、デスクトップコンピュータ、キオスク、ラップトップ、タブレットおよび／または他のコンピューティングプラットフォームのように固定された位置に置かれるコンピューティング装置であってもよい。
【００４５】
一実施形態では、例えば、パーソナル通信デバイス７００が、ＯＴＰの要求を開始する。このような要求を行うことが認められたワイヤレスハンドヘルドデバイスからＯＴＰの要求を受信した後、認証サーバ３００は、例えば、ＯＴＰの要求を認証するようにしてもよい。
【００４６】
図１の実施形態では、通信モジュール６００はさらに認証サーバ３００の一部であってもよい。通信モジュール６００は、例えば、ＳＭＳメッセージ、ＭＭＳメッセージ、および／または、プッシュ通知などの送受信可能な電子メッセージ通信を提供する。従って、認証サーバ３００は、パーソナル通信デバイス７００からＳＭＳメッセージを受信するようにしてもよい。パーソナル通信デバイス７００がＯＴＰを要求しかつ／または受信する権限があるかを、認証モジュール３１０およびアカウントデータベース３２０で確認した後、通信モジュール６００は認証サーバ３００からＯＴＰを送信するように促される。認証サーバ３００は、さらにＯＴＰの生成が可能なパスワード発生装置３３０を設けてもよい。ＯＴＰは、任意の既知の方法で生成するようにすればよい。例えば、乱数および／または文字発生装置、擬似乱数および／または文字発生装置、乱数および／またはレリーズタイムに応じた文字発生装置、および／またはその任意の組合せを採用してもよい。
【００４７】
アプリケーションサーバ８００、および／または、所望のおよび／または選択された制限付きアクセスシステム２００を介したオンラインアカウントのような制限されたネットワーク資源へ無許可でアクセスし難くするには、ＯＴＰが望ましい。あまり頻繁に変えられない静的なＰＩＮおよび／またはパスワードを用いるシステムおよび／またはオンラインアカウントは、権限がないユーザからアクセスされ易い。限定された期間だけ有効になるＯＴＰを採用することで、静的なパスワードに関連するこのような危険は大幅に縮小され、かつ／または、なくすこともできる。つまり、ＯＴＰの要求が権限を持っているパーソナル通信デバイス７００から来たことを認証モジュール３１０が確認することができれば、その結果、認証サーバ３００は、ＯＴＰを要求した権限を持っているパーソナル通信デバイス７００にＯＴＰを送信する。例えば、ＯＴＰはＳＭＳメッセージでパーソナル通信デバイス７００に送信するようにしてもよい。さらに、アカウントデータベース３２０の情報に基づいて、特別のアカウントに対して権限を持っているパーソナル通信デバイス７００から要求が送信されたことを認証サーバ３００が確認すると、電子広告コンテンツと伴にＯＴＰがパーソナル通信デバイス７００へ配信される。さらに、以下により詳細に説明されるように、所望のおよび／または選択した制限付きアクセスシステム２００が、ＯＴＰステータス通知遷移画面２１０を介して電子広告コンテンツを受信するようにしてもよい。したがって、パーソナル通信デバイス７００のユーザは、電子広告コンテンツと一緒にＯＴＰを受信し、ＯＴＰの期限が切れる前に、所望かつ／または制限されたアクセスシステム２００を介して、オンラインアカウントおよび／またはアプリケーションサーバ８００へアクセスするためにＯＴＰを使用することが期待される。
【００４８】
例えば、所望のおよび／または選択した制限付きアクセスシステム２００を介してオンラインアカウントおよび／またはアプリケーションサーバ８００へアクセスしようとするときに、有効な受信したＯＴＰがあるパーソナル通信デバイス７００のユーザがＯＴＰを入力するようにしてもよい。ユーザが、ＳＭＳメッセージの形式でパーソナル通信デバイス７００を介して受信した有効なＯＴＰを入力した後、制限付きアクセスシステム２００は、認証サーバ３００はユーザによって入力されたＯＴＰを確認するように要求する。ユーザが、期限が切れでない有効なＯＴＰを入力すれば、認証モジュール３１０は認証確認を提供して制限付きアクセスシステム２００からの認証要求に応える。この確認を受信した結果、必要に応じて、制限付きアクセスシステム２００はユーザにオンラインアカウントおよび／またはアプリケーションサーバ８００へのアクセスを許可する。
【００４９】
認証処理の一部として、アカウントデータベース３２０は認証モジュール３１０からアクセスされる。アカウントデータベース３２０は、ＯＴＰを生成するために、ユーザの身元をさらに確認するためのユーザＩＤ、ＰＩＮおよび／または他のアカウント関連の情報を含むものなどの任意のデータベースで構成されている。アカウントデータベース３２０は、さらにアカウントを持っている個人および／または団体に関連する人口統計情報を含むものであるかもしれない。例えば、性別、年齢、地理的な関心領域、産業、アクセス頻度、アクセスの時間および／または位置など情報が追跡され、後で使用するために格納される。ＯＴＰと一緒にパーソナル通信デバイス７００に送信されるターゲットを絞ったおよび／またはカスタマイズされた電子広告コンテンツを提供するために、この追加情報が他の情報源と一緒に使用されてもよい。さらに、個別の電子広告コンテンツは、制限付きアクセスシステム２００上のＯＴＰステータス通知遷移画面２１０へ送信される。
【００５０】
例えば、認証サーバ３００は、アカウントに関連する個人および／または団体にターゲットを絞ったおよび／またはカスタマイズされた電子広告コンテンツと併せてＯＴＰを送信し、そこで、特定のパーソナル通信デバイス７００およびＯＴＰステータス通知遷移画面２１０に、選択された電子広告コンテンツが表示される。この情報は、通信モジュール６００から、他の送信の手段でも可能であるが、ＳＭＳメッセージ、ＭＭＳメッセージ、または、広告プッシュ通知の形式でパーソナル通信デバイス７００に送信されてもよい。
【００５１】
本発明は、配信されるターゲットを絞ったおよび／またはカスタマイズした電子広告コンテンツのための特定の処理のいずれにも、権利範囲を限定するものではないが、一実施形態では、広告サーバ４００（これには、コンピュータまたは他のコンピューティングプラットフォーム上で実行するプロファイルエンジン４１０、プロファイルデータベース４１１、および宣伝サーバ４２０などのプログラムおよび／または一連のプログラムを含む）を用いて、情報が選択されてもよい。プロファイルエンジン４１０は、利用可能な外部の情報源から認証サーバ３００に、あるいはプロファイルデータベース４１１のような内部の情報源にアクセスする。例えば、プロファイルエンジン４１０は、プロファイルデータベース４１１（それは広告サーバ４００に置かれてもよい）、あるいは、サードパーティの広告サーバ５００のような別のサーバへアクセスして情報要求を指示する。サードパーティ広告サーバ５００は、サードパーティーオンラインマーケティング団体あるいはオンライン商人が所有しかつ／またはサポートする。別の例では、プロファイルエンジン４１０は、アカウントデータベース３２０から得られた情報をプロファイルデータベース４１１へ提供するようにしてもよい。例えば、オンラインでの買い物を追跡するオンラインサードパーティーマーケティング団体は、特定のユーザおよび／またはアカウントに関連する以前に行われたオンラインでの買い物に関する情報を持っている。
【００５２】
さらに別の例では、所望のおよび／または選択した制限付きアクセスシステム２００が、銀行および／または仲介業者によって維持される資産アカウントへのオンラインアクセスを構成するものであってもよい。このような状況では、アカウントデータベース３２０にはデビットおよび／またはクレジットカードでの購入に関する情報と他の情報が入っているかもしれない。同様に、スマートフォンは、パーソナル通信デバイス７００を介したこの情報や、パーソナル通信デバイス７００のサービスプロバイダーによって提供される情報と、対応付けられる。サービスプロバイダーによって提供される情報は、国際移動加入者識別符号（ＩＭＳＩ）、国際移動機識別符号（ＩＭＥＩ）、媒体アクセス制御アドレス（ＭＡＣアドレス）および／またはモバイル装置識別子（ＭＥＩＤ）などであるが、これに限定されるものではない。最後に、ＳＭＳメッセージ、および／または、プッシュ通知電子メッセージ、および／または、ウェブを介したパケット通信に類した一連の形式で、ＴＣＰ／ＩＰアドレスもこの他の情報に対応付けられる。このようにして、これら情報源から十分な情報が広告サーバ４００で利用することが可能になり、プロファイルデータベース４１１に入れられたこのような情報を用いて、ターゲットを絞ったおよび／またはカスタマイズされた電子広告コンテンツを決めて、ＯＴＰと併せてパーソナル通信デバイス７００へ配信される。さらにまた、電子広告メッセージは、パーソナル通信デバイス７００に電子広告コンテンツと一緒にＯＴＰが配信されるのと同時に、ＯＴＰステータス通知遷移画面２１０へ送信される。このようなターゲットを絞ったおよび／またはカスタマイズされた電子広告コンテンツは、バナー広告、フローティング広告、エキスパンド広告、壁紙広告、ポップアップ、ポップアンダー、ロールオーバー、オーディオ広告、「ＱＲコード」、ビデオ広告、マップ広告、ハイパーリンク、ソーシャルメディアフィード、新しいタブ、新しいウィンドウセッション、ライブティッカーおよび／またはフィード、ウィジェット、今後サポートかつ／または開発される他の全ての表示方式の電子広告コンテンツの形式で、ＯＴＰステータス通知遷移画面２１０に配信される。図１の実施形態では、プロファイルエンジン４１０に提供された情報は、サードパーティ広告サーバ５００によって広告サーバ４００に提供される。また一方、他の実施形態では、プロファイルエンジン４１０は、さらに認証サーバ３００からアカウントデータベース３２０に保持されている人口統計情報を受け取るようにして、ターゲットを絞ったおよび／またはカスタマイズされた電子広告コンテンツは広告サーバ４００の外部の情報に頼ることなく選択されかつ／または生成されるようにしてもよい。しかし、サードパーティ広告サーバ５００が広告サーバ４００の外側にある実施形態では、プロファイルエンジン４１０は、例えば、プロファイルデータベース４１１で提供される他の利用可能なデータと併せて、アカウントデータベース３２０からの情報を評価するようにしてもよい。いずれの場合も、その時に利用可能な情報に基づいて、ユーザにより関連する、或は、より魅力的な電子広告メッセージが、ＯＴＰステータス通知遷移画面２１０を介してパーソナル通信デバイス７００と所望のおよび／または選択された制限付きアクセスシステム２００に提供される。つまり、プロファイルエンジン４１０は、例えば、プロファイルデータベース４１１と併せて用いられ、パーソナル通信デバイス７００のプロファイルに基づいて、プロファイルデータベース４１１に格納されたユーザープロファイルに一致するユーザにより関連性が高い情報が結果として得られ、パーソナル通信デバイス７００とＯＴＰステータス通知遷移画面２１０に配信される。言いかえれば、ユーザープロフィール情報のいくつかを情報源として相互参照する方法では、プロファイルエンジン４１０が、プロファイルデータベース４１１および／またはアカウントデータベース３２０とをほとんど境がなくなるように統合することで、広告サーバ４００がターゲットを絞った所望のおよび／または選択されたエンドユーザに配信するより効果的な電子広告メッセージを処理し選択することができるようになる。この実施形態は、従来統合されていないデータベースを統合する結果になるかもしれない。例えば、情報は、上記で言及したように一意に決まる電話識別子から収集されたものでもよいし、あるいは、クレッジトカードおよび／またはデビットカード、購入履歴、ウェブの閲覧の傾向などを通じて集められた情報であってもよい。
【００５３】
所望のおよび／または選択した制限付きアクセスシステム２００および／またはパーソナル通信デバイス７００から行われたＯＴＰの要求に対して、少なくとも一部分に関連するターゲットを絞ったおよび／またはカスタマイズされた電子広告メッセージを提供することで、ＯＴＰを含む電子広告メッセージがユーザにもっと高い割合で見てもらえることが期待される。要求はＯＴＰのために行われたので、それが一旦提供されると、ＯＴＰは使用されることが予想される。同様に、ＯＴＰを取得するために、ユーザがＯＴＰを含む電子メッセージを見ると、同じ電子メッセージで送信されたターゲットを絞ったおよび／またはカスタマイズされた電子広告コンテンツが含まれている。
【００５４】
さらに、プロファイルエンジン４１０は、外部の情報源から情報を得るための仕組みを広告サーバ４００へ提供することができるので、本発明は多数の様々な可能性があり、別の実施形態に広げられる。一例では、所望のおよび／または選択した制限付きアクセスシステム２００に、ウェブブラウジングおよび／またはオンラインアカウント・アクセス用のパーソナル通信デバイス７００のユーザがアクセスするネットワークを設けることができる。一旦、有効なＯＴＰを介してネットワークにアクセスが許可されれば、特定のユーザのブラウジングアクティビティが、特定のユーザがどんな広告やどんな他のコンテンツを閲覧しクリックしているかなどを追跡するようにしてもよい。このクリック率（ＣＴＲ）は、オンライン広告キャンペーンが成功したかを測定するものである。ユーザの行動パターンが今利用可能であれば、集められたデータはＯＴＰと併せて電子広告メッセージを配信する時に、ユーザが特別の提案に応える可能性がより高くなるように電子広告コンテンツを変えるのに利用することができる。その結果、消費者の「レスポンス率」、「ＣＴＲ」、および／または「１回の返信当たりの支払」などの行動に少なくとも一部に基づいて、広告主に支払いが行われるような状況において、このタイプのターゲットを絞ったおよび／またはカスタマイズされた電子広告を配信する方法であれば広告収入は増加することが期待される。
【００５５】
別の例では、ＯＴＰと一緒に配信されたターゲットを絞ったおよび／またはカスタマイズされた電子広告コンテンツは、これに限定されるものではないが、製品またはサービスの割引、特別のイベントにアクセスする機会、電子クーポン、「ＱＲコード」、映画の予告編、および／または、特殊な価値を持つ受信者によって一般的に閲覧されるターゲットを絞った情報を多く含むようにしてもよい。
【００５６】
上記で説明されたもののうちのいずれかに限定するものではないが、多数の技術のうちのどれかで、このような電子コンテンツがターゲットとされかつ／またはカスタマイズされることに注目される。したがって、ユーザの閲覧履歴、ユーザの購入履歴、ユーザが示した興味、および／または、ユーザの特殊な要求が、様々な既存の手法および／または今後開発される手法で追跡されてもよい。この情報と他の類似の情報で、特定のユーザが特別に興味を持つトピックを広告するものを示すようにユーザープロファイルを開発するようにしてもよい。このようなプロファイルを助ける追加情報には、郵便番号、ジオコード、および／または価値、考え、興味および／またはライフスタイルに関して利用可能な他のデータを含まれるかもしれない。
【００５７】
さらに、電子広告メッセージのターゲットを絞りおよび／またはカスタマイズするは、文脈上は特別の受信者に対して使われる。例えば、配信時刻、配信頻度および／または配信時刻の受信者の位置は、全て、配信されるコンテンツに焦点を合わせ、かつ／または調整するためのパラメーターとして使用されてもよい。これは、さらに文脈の独立した情報に加えて、ユーザのセッション独立（session-independent）、クロスネットワーク（cross-network）、および／または、満足している特別の好みのようなものでもよい。
【００５８】
コンテンツは、特定の情報の要求に基づいて、少なくとも一部分が選択されかつ／またはターゲットを絞られてもよい。同様に、ＯＴＰと併せて配信されるコンテンツを受信者が指定することが可能である。一例では、受信者が１つ以上の製品および／またはサービスのカテゴリーに関する宣伝用の情報の登録に招待された場合は、「オプトイン」の仕組みが採用される。つまり、ユーザは、特別のトピック、サービスおよび／または興味のある製品に関係する、電子広告コンテンツを受け取りたいという要望を指定してもよい。さらに、そのような仕組みは様々な形式をとってもよい。例えば、ユーザが、広告が特別の広告主および／またはカテゴリーから送信されることを要求してもよい。別の例では、ユーザおよび／または受信者が、広告のカテゴリーおよび／または興味のある情報のカテゴリーを指定してもよい。同様に、シングル「オプトイン」の仕組みおよび／またはダブル「オプトイン」の仕組みが使用されてもよい。例えば、ユーザは、単に特別の広告コンテンツを受け取るという要望を指定してもよい。また、それが作られた後、ユーザに指定を確認させる試みが行われてもよい。
【００５９】
同様に、ユーザは特別の広告コンテンツを受け取るために「オプトイン」に誘いこむようにしてもよい。例えば、「オプトイン」は、懸賞および／またはコンテストへのエントリー、割引、製品またはサービス向上、および、他の可能性があるものが得られる。同じく、特別のユーザに対して興味を引く所望および／または選択された広告コンテンツに関する追加情報を提供するために、ユーザが「オプトイン」を行う。さらに、これに限定されるものではないが、スポーツ情報、世界のニュースおよび／または最新の経済情報などの広告コンテンツと併せてＯＴＰと一緒に受け取られる他のタイプのコンテンツが提供されることで、ユーザおよび／または受信者の注目を引く。
【００６０】
さらに、「オプトアウト」の仕組みを提供することも可能である。可能な例として、「オプトアウト」は、ユーザが登録を取り消すためにハイパーリンクをクリックすることで、あるいは件名に「登録を取り消し」という単語がある電子メッセージに送るか返信することで行われる。
【００６１】
図２は、本発明に従うターゲットを絞ったおよび／またはカスタマイズされた電子広告コンテンツの処理を説明するフローチャートの一例であるが、これに限定されるものではない。最初のステップで、ＯＴＰ要求がユーザによって所望のおよび／または選択した制限付きアクセスシステム２００および／またはパーソナル通信デバイス７００から行われる。一実施形態では、ＯＴＰの要求は、通常、所望のおよび／または選択した制限付きアクセスシステム２００を介して、認証サーバ３００に送られる。別の実施形態では、このような要求はパーソナル通信デバイス７００を介してＳＭＳメッセージを使用して送信されるようにしてもよい。ステップ２で、要求されたＯＴＰは、認証サーバ３００で、上述のユーザの身元の確認に基づいてパスワード発生装置３３０で生成される。ステップ３で、ターゲットを絞ったおよび／またはカスタマイズされた電子広告コンテンツがＯＴＰステータス通知遷移画面２１０に配信される間に、同時に、ＯＴＰと併せてターゲットを絞ったおよび／またはカスタマイズされた電子広告コンテンツがパーソナル通信デバイス７００へ配信されるように、プロファイルエンジン４１０は、プロファイルデータベース４１１からのユーザープロファイルと宣伝サーバ４２０に基づいてターゲットを絞ったおよび／またはカスタマイズされた広告コンテンツを選択するように要求する。ステップ４で、上記の技術と原理に基づいて、プロファイルエンジン４１０は、ターゲットを絞ったおよび／またはカスタマイズした広告コンテンツを選択しかつ／または生成し、図１の「ＯＴＰ−広告コンパイラー４３０」ブロックで、選択された電子広告メッセージが、ＯＴＰに一つにまとめられる。ステップ５で、電子広告コンテンツは、ＯＴＰステータス通知遷移画面２１０とパーソナル通信デバイス７００を介して、通信モジュール６００から制限付きアクセスシステム２００にＯＴＰと一緒に送信される。
【００６２】
前述のように、電子広告コンテンツに加えて、他の情報および／またはコンテンツが配信されてもよい。例えば、電子広告コンテンツに加えて、または、電子広告コンテンツの代わりに、他の配信情報が含まれてもよく、これに限定されるものではないが、配信情報には、航空機の搭乗券、イベント入場券および／または時間に制約がある情報（例えば、ニュース速報、ローカルな天気予報、セキュリティ警報など）が含まれる。
【００６３】
図４Ａ−４Ｄは、特にそのパーソナル通信デバイス７００の個人および／または団体のアカウントに対して、ターゲットを絞ったおよび／またはカスタマイズされた電子広告メッセージと一緒にＯＴＰを含む電子メッセージを様々なフォーマットで受信したときのパーソナル通信デバイス７００の例を説明する概略図である。少なくとも一部分特別の実施形態または状況に応じて、電子広告コンテンツは受動的であったり能動的であったりする。例えば、一実施形態では、ＯＴＰ併せて配信された電子広告コンテンツは、メッセージにしばらく注目してもらうこと以外に、アクティブなユーザの参加は含まれない。一方、他の実施形態では、電子広告コンテンツは対話型で、および／または、受信者といくつかの方法で対話操作するものであってもよい。例として、これに限定されるものではないが、回転バナー広告、リプライバック広告、フルモーションビデオクリップ、オーディオクリップ、クリックコールハイパーリンク、ウェブサイトリンクおよびウェブサイトリダイレクトが含まれる。図４Ｂの例は、ＯＴＰと併せて電子広告メッセージに広告主のウェブサイトへのハイパーリンクが含まれている。図４Ａは、ＯＴＰと併せて電子広告メッセージに広告する「返信（Ｒｅｐｌｙ）」を含んだＳＭＳの例である。
【００６４】
さらに、図５Ａ−５Ｃは、図３Ａ−３Ｃで示される操作方法の実施形態の例を説明する。図３Ａのステップ１で、ＯＴＰ要求は、所望のおよび／または選択された制限付きアクセスシステム２００から、ユーザが行なう。ここで、図３Ａに示すように、要求ボックス２１１で、「ＯＴＰを取得（ＧＥＴ ＯＴＰ）」のようなメッセージが、制限付きアクセスシステム２００に表示される。ユーザは、ＯＴＰを要求するためにユーザ名、ＰＩＮ、パスコードおよび／またはパスワードを入力する。ＯＴＰ要求を開始すると、図３Ｂ（ステップ２）に示されるような制限付きアクセスシステム２００のＯＴＰステータス通知遷移画面２１０の表示が始まる。図３Ｂ（ステップ２）では、広告スペース２１２は、ユーザが広告スペース２１１内の広告のリンクをクリックすることが可能なＯＴＰステータス通知遷移画面２１０上に表示され、様々なフォーマットで広告を表示したり、および／または、別のセッションでさらに広告を表示したりすることができる。ＯＴＰステータス通知遷移画面２１０上の広告スペースは、表示フォームフィールド、バナー広告、ウィジェット、テキスト、画像、ハイパーリンク、ビデオおよび／またはその任意の組合せを用いることができる。広告は、さらに「ＧＯＯＧＬＥ ＡＤＳＥＮＳＥ」のようなサードパーティが提供するものでも可能である。ＯＴＰの要求は、通常に、所望のおよび／または選択した制限付きアクセスシステム２００を介して認証サーバ３００に行く。一実施形態では、このような要求がＳＭＳメッセージを用いて送信されてもよい。
【００６５】
図３Ｂ（ステップ２）では、要求されたＯＴＰは、認証サーバ３００から上記のようなユーザの認証情報が有効あるかの確認に基づいて、パスワード発生装置３３０によって生成される。図３Ａ（ステップ１）では、プロファイルエンジン４１０が、ターゲットを絞ったおよび／またはカスタマイズされた広告コンテンツの選択を要求し、図３Ｂに表示されるように、電子広告メッセージ２１２がＯＴＰステータス通知遷移画面２１０に配信されるようにしてもよい。ＯＴＰステータス通知遷移画面２１０の画面に表示されるが、全てＨＴＭＬ（Hyper Text Markup Language）ページに限定されるものではなく、フォームフィールドがあるランディングページ、ハイパーリンク、画像、ビデオ、バナー、「ＱＲコード」、ソーシャルメディアフィード、ティッカー、ポップアップ、ポップオーバー、新しいタブ、または新しいウィンドウセッションなどがある。ユーザが「もっと詳しい情報」ボタンおよび／またはリンクをクリックすると、電子広告メッセージは、これに限定されるものではないが、バナー広告、フローティング広告、エキスパンド広告、壁紙広告、ポップアップ、ポップアンダー、ロールオーバー、オーディオ広告、「ＱＲコード」、ビデオ広告、マップ広告、ハイパーリンク、ソーシャルメディアフィード、新しいタブ、新しいウィンドウセッション、ライブティッカーおよび／またはフィード、ウィジェット、今後サポートかつ／または開発される他の全ての表示方式で表示される。
【００６６】
同時に、電子広告コンテンツをＯＴＰと一緒にまとめてパーソナル通信デバイス７００に配信するために、プロファイルエンジン４１０は、異なっていても同じでもよいが、ターゲットを絞ったおよび／またはカスタマイズされた電子広告メッセージを選択して、かつ／または、ＯＴＰと広告コンパイラー４３０で編集する（集める）ように要求する。電子広告コンテンツは、図４に示すように、ＯＴＰと一緒に通信モジュール６００からパーソナル通信デバイス７００に配信される。図４は、パーソナル通信デバイス７００の画面に、ターゲットを絞ったおよび／またはカスタマイズされた電子広告メッセージと一緒にＯＴＰを表示する工程の処理の実施形態の例を示す。配信は、任意の無線通信および／またはセルラープロトコルを通じて行われ、これに限定されるものではないが、プロトコルは、電子メール、プッシュ通知、ＳＭＳメッセージ、ＭＭＳメッセージおよび／またはＴＣＰ／ＩＰが含まれる。パーソナル通信デバイス７００の広告スペースは、図４に示されるように、バナー、ウィジェット、テキスト、画像、ハイパーリンク、ビデオ、および／またはその任意の組合せを表示するために使用することができる。図４に替わるものとして、ＯＴＰおよび電子のターゲットであるメッセージも、固定電話、データライン、ＶＯＩＰ（ボイスオーバインターネットプロトコル）および／またはセルラープロトコルを通じて音声で送信してもよい。
【００６７】
次に、ユーザは、パーソナル通信デバイス７００を介して受信したＯＴＰを制限付きアクセスシステム２００のログイン画面へ入力し、所望のおよび／または選択されたサイト、アプリケーションおよび／またはプログラムにアクセスする。図３Ｃ（ステップ３）を参照すると、ＯＴＰステータス通知遷移画面２１０はログインボックス２１４を表示し、ユーザがパーソナル通信デバイス７００を介して受信したＯＴＰを入力してアクセスする。ログインボックス２１４には、図３Ｃに示されるように、電子広告コンテンツ２１３を付いけることができる。電子広告コンテンツは、これに限定されるものではないが、バナー広告、フローティング広告、エキスパンド広告、壁紙広告、ポップアップ、ポップアンダー、ロールオーバー、オーディオ広告、「ＱＲコード」、ビデオ広告、マップ広告、ハイパーリンク、ソーシャルメディアフィード、新しいタブ、新しいウィンドウセッション、ライブティッカーおよび／またはフィード、ウィジェット、今後サポートかつ／または開発される他の全ての表示方式で表示することができる。ユーザは、様々な異なるフォーマットで、後で、さらに、追加情報をユーザに送信するように要求をすることができる。一例では、ユーザは、情報および／または追加情報をユーザのパーソナル通信デバイス７００へ送信するように要求する。
【００６８】
前述のように、電子広告コンテンツに加えて、他の情報および／またはコンテンツが配信されてもよい。例えば、電子広告メッセージに加えて、および／または、電子広告メッセージの代わりに、配信される他の情報には、航空機の搭乗券、イベント入場券および／または時間に制約がある情報（例えば、ニュース速報、ローカルな天気予報、セキュリティ警報など）が含まれる。
【００６９】
上記の説明は、本発明の特定の実施形態に言及しているが、それは発明の精神から逸脱することなく多くの変更がなされ得ることが理解されるであろう。添付の特許請求の範囲は、本発明の本当の範囲および精神に入るそのような変更を網羅することを意図している。
【図１】
2017084374.tif 000003
【図２】
2017084374.tif 000004
【図３】
2017084374.tif 000005
【図４】
2017084374.tif 000006
【図５】
2017084374.tif 000007